(57)【要約】【課題】排気臭や高温多湿の排気によってキッチンの環境を悪化させることがないように、また、電気ヒーターを使用しないで、エネルギーの浪費を抑えて効率良く乾燥することができるように、食器や洗浄槽内部を乾燥させる乾燥空気の調整や流し方について工夫すること。【解決手段】食器カゴを収容する洗浄槽と、回転ノズルから洗浄水を噴射させて食器の洗浄やすすぎ処理を行う洗浄手段と、食器の乾燥処理を行う乾燥手段を具備する食器洗い乾燥機を前提として、  上記乾燥手段は、ペルチェ素子を有する除湿器と、循環ファンと、循環路から成り、  上記循環路は、上記洗浄槽から上記除湿器の冷却側と加熱側を経由して、上記循環ファンを通って上記洗浄槽に連通する流路であり、  上記洗浄槽から吸い込んだ空気を冷却して除湿した後、加熱して再び洗浄槽に戻すものである。【選択図】図１
2007014537.tif 000002
【特許請求の範囲】
【請求項１】
食器カゴを収容する洗浄槽と、回転ノズルから洗浄水を噴射させて食器の洗浄やすすぎ処理を行う洗浄手段と、食器の乾燥処理を行う乾燥手段を具備する食器洗い乾燥機において、
上記乾燥手段は、ペルチェ素子を有する除湿器と、循環ファンと、循環路から成り、
上記循環路は、上記洗浄槽から上記除湿器の冷却側と加熱側を経由して、上記循環ファンを通って上記洗浄槽に連通する流路であり、
上記洗浄槽から吸い込んだ空気を冷却して除湿した後、加熱して再び洗浄槽に戻すことを特徴とする食器洗い乾燥機。
【請求項２】
上記循環路の吸気口と吐出口を、洗浄槽の一内壁面の対角線上において相互に離れた位置に配置し、該吐出口を吸気口より下方に位置することを特徴とする請求項１に記載の食器洗い乾燥機。
【請求項３】
上記除湿器において空気から分離されたドレンを、上記洗浄槽の底部の水溜に排出することを特徴とする請求項１又は請求項２に記載の食器洗い乾燥機。
【請求項４】
上記乾燥手段により乾燥処理が開始される前に、予めペルチェ素子に通電して充分に冷却、加熱しておくことを特徴とする請求項１〜請求項３のいずれかに記載の食器洗い乾燥機。
【請求項５】
上記除湿器のペルチェ素子へ供給する電流を、上記洗浄槽内の温度や湿度、該ペルチェ素子の温度、及び時間の少なくとも１つによって制御することを特徴とする請求項１〜請求項４のいずれかに記載の食器洗い乾燥機。
【発明の詳細な説明】
【技術分野】
【０００１】
この発明は、食器の洗浄、すすぎ、及び乾燥を順次行う食器洗い乾燥機に関し、特に、食器を乾燥処理する時に蒸気を多量に含んだ高温空気を外部へ排出することのない食器洗い乾燥機に関する。
【背景技術】
【０００２】
従来の食器洗い乾燥機は、図４に示されているように、その内部に洗浄槽１０を備えており、この洗浄槽１０の前面（図４の左側）には、扉２４が取付けられており、この扉２４の上部には電源スイッチ２８やスタート／一時停止スイッチ２９が設けられている。これらのスイッチ２８,２９は、食器洗い乾燥機の運転を制御する制御部３０に電気的に接続されている。
上記洗浄槽１０の内部には食器を収納する食器カゴ１２,１２’が収容されており、この食器カゴ１２,１２’の下方には洗浄水を噴射する回転ノズル（噴射ノズル）１３が設けられている。上記洗浄槽１０の底部には水溜１６が形成されており、この水溜１６には洗浄槽内の水位を検知する水位スイッチ２５が接続されている。さらに、該洗浄槽１０の底部には洗浄水や空気を温めるヒーター１４と、洗浄槽内の温度を検知するサーミスター１１が設けられている。
【０００３】
また、上記洗浄槽１０の背面（図４の右側）には、外部の空気を洗浄槽内に送り込んで食器を乾燥させる乾燥ファン２２が設けられ、その前面（図４の左側）の扉２４の上部には、洗浄槽内の空気を排出する排気口２３が設けられており、該扉２４の内部には洗剤やリンスを入れる洗剤リンス投入器３１が設けられている。
さらに、上記洗浄槽１０には、上記回転ノズル１３に洗浄水を供給する洗浄ポンプ１７と、給水電磁弁１８と給水管１９から成り該洗浄槽内に水を供給する給水手段と、排水ポンプ２０と排水管２１から成り該洗浄槽内の水を排出する排水手段が取り付けられている。
【０００４】
このように構成された従来の食器洗い乾燥機では、洗浄槽１０内の食器カゴ１２,１２’に種々の食器をセットした後、電源スイッチ２８をオンにして所望のコースを選択し、スタート／一時停止スイッチ２９をオンにすると、洗浄工程、すすぎ工程、及び乾燥工程が順次実行され、食器の洗浄と乾燥が自動的に行われる。このうちの乾燥工程においては、ヒーター１４に通電して洗浄槽内の空気温度を上昇させると共に、乾燥ファン２２を駆動し洗浄槽内に外気を供給して、洗浄槽１０内の蒸気を多量に含んだ高温空気を排気口２３から排出することにより、食器や洗浄槽の内部を乾燥させている。この場合、乾燥ファン２２、ヒーター１４、及び排気口２３は乾燥手段を構成している。
この時、排気口２３から排出される高温多湿の空気は、温度が約７０〜８０℃と高く、また相対湿度も約１００％と極めて高いので、人体に直接当たると火傷などの危険性があり、さらに、排気臭や排出蒸気などのためにキッチンの環境を悪化させるという問題が発生する。
【０００５】
一方、このような問題を解消するために、洗浄槽から排気口までの間を細長い排気通路で連通することにより、排気口から排出される高温多湿の空気の温度や湿度を下げることが、特開２００３−３０４９９５号公報（特許文献１）に記載されている。
この特許文献１に記載されている「食器洗い乾燥機」は、図５(ａ)に示されているように、食器洗い機本体４２内に設けられる洗浄槽４１と、この洗浄槽４１内に収容され食器類を収納する食器かご３５と、洗浄ポンプ３６から供給される洗浄水を噴射するノズル３７と、洗浄槽４１内の洗浄水や空気を加熱するヒーター３８と、第１の送風路３９ａを通して外気を洗浄槽４１内に供給する送風手段３９と、洗浄槽４１内の加熱空気を細長い排気通路４４を通して槽外へ排出する排気口４３とから構成されている。なお、符号４０は排水ポンプである。
【０００６】
図５(ａ)に示された従来の食器洗い乾燥機では、食器かご３５に収納された食器類を洗浄及びすすぎ処理した後、乾燥処理を開始する。この乾燥処理においては、ヒーター３８を加熱して洗浄槽４１内の温度を上昇させると共に、送風手段３９により外気を第１の送風路３９ａを通して洗浄槽４１内に供給することにより、洗浄槽４１内の加熱空気は排出口４１ｂから細長い排気通路４４を通って排気口４３から排出される。このように、ヒーター３８による加熱と外気の供給を継続的に行うことによって、食器類は徐々に乾燥される。
上記洗浄槽４１の排出口４１ｂから細長い排気通路４４を通って排気口４３から排出される加熱空気は、細長い排気通路４４を通過する間に、該排気通路４４の壁面と熱交換することによって温度が低下して絶対湿度も下がるので、排気口４３から排出される加熱空気の安全性を確保することができる。
【０００７】
さらに、上記従来の食器洗い乾燥機では、図５(ｂ)に示されているように、その排気通路４４の途中に冷却手段４６を設けることにより、排気通路４４内を流れる加熱空気の温度と湿度をさらに下げることが行われている。この冷却手段４６は、例えばペルチェ素子４６ａに冷却フィン４６ｂと放熱フィン４６ｃを設けることにより構成されている。
【特許文献１】特開２００３−３０４９９５号公報
【発明の開示】
【発明が解決しようとする課題】
【０００８】
上記特許文献１に記載されている食器洗い乾燥機（図５を参照）は、乾燥工程において洗浄槽内の高温多湿の空気を排気口から排出するとき、人体に直接当たっても火傷の恐れがない程度に温度や湿度を下げてから排出するものであるが、依然として、洗浄槽内の高温多湿の空気を外部へ排出していることには変わりがないから、排気臭や高温多湿の排気によってキッチンの環境を悪化させるものである。
また、この食器洗い乾燥機は、洗浄槽内の食器や洗浄槽内部を乾燥させるために、洗浄槽内の空気をヒーターで加熱しながら、送風手段により洗浄槽内に外気を供給すると共に、該洗浄槽内の高温多湿の空気を排気口から排出するものであって、洗浄槽内に供給した外気をヒーターで加熱して高温にした後で排出しているから、乾燥処理において多くのエネルギーを使用することになる。
【０００９】
そこで、本発明の技術課題は、従来の食器洗い乾燥機が乾燥工程において有する問題を解決するために、排気臭や高温多湿の排気によってキッチンの環境を悪化させることがないように、また、電気ヒーターを使用しないで、エネルギーの浪費を抑えて効率良く乾燥することができるように、食器や洗浄槽内部を乾燥させる乾燥空気の調整や流し方について工夫することである。
【課題を解決するための手段】
【００１０】
(１) 本発明に係る食器洗い乾燥機は、食器カゴを収容する洗浄槽と、回転ノズルから洗浄水を噴射させて食器の洗浄やすすぎ処理を行う洗浄手段と、食器の乾燥処理を行う乾燥手段を具備する食器洗い乾燥機を前提として、
上記乾燥手段は、ペルチェ素子を有する除湿器と、循環ファンと、循環路から成り、
上記循環路は、上記洗浄槽から上記除湿器の冷却側と加熱側を経由して、上記循環ファンを通って上記洗浄槽に連通する流路であり、
上記洗浄槽から吸い込んだ空気を冷却して除湿した後、加熱して再び洗浄槽に戻すものである。
【００１１】
このような構成によれば、食器の洗浄やすすぎ処理を終了した後の洗浄槽内に存在する高温多湿の空気は、循環ファンの働きにより吸気口から循環路に吸い込まれ、ペルチェ素子を有する除湿器の冷却側から加熱側へ送られ、さらに循環ファンを経由して吐出口から再び洗浄槽内に戻される。上記除湿器においては、送られた高温多湿の空気が冷却側で冷却されて低温乾燥空気にされると共にドレンを発生し、この低温乾燥空気は加熱側で加熱されて高温乾燥空気に変えられる。
このようにして洗浄槽内に再び戻された高温乾燥空気は、食器と洗浄槽内部を除湿乾燥することにより再度高温多湿の空気となる。このような動作が繰り返して実行されて食器の乾燥処理が行われる。
洗浄槽内の高温多湿の空気は、循環路に設けられた除湿器で除湿されながら循環されるだけで、洗浄槽の外部に排出されることはない。
【００１２】
(２) また、上記循環路の吸気口と吐出口を、洗浄槽の一内壁面の対角線上において相互に離れた位置に配置し、該吐出口を吸気口より下方に位置することができる。
この構成によれば、吐出口から洗浄槽に戻された高温乾燥空気は、該洗浄槽内を隅々まで満遍なく流れることになるので、洗浄槽内の食器をムラなく乾燥することができ、乾燥効率を高めることが可能である。
【００１３】
(３) また、上記除湿器において空気から分離されたドレンを、上記洗浄槽の底部の水溜に排出することができる。
この構成によれば、上記除湿器において空気から分離されたドレンは、洗浄槽の底部に形成された水溜に排出されて、ドレンが洗浄槽内の食器収納領域に戻ることがないので、乾燥効率を低下させることはない。
【００１４】
(４) また、上記乾燥手段により乾燥処理が開始される前に、予めペルチェ素子に通電して充分に冷却、加熱しておくことができる。
この構成によれば、乾燥手段による乾燥処理が開始される前に、予めペルチェ素子に通電して、該ペルチェ素子の冷却側と加熱側を前もって充分に冷却及び加熱しておくことにより、乾燥処理の開始直後から効率よく除湿することができるので、食器の乾燥処理時間を大幅に短縮することが可能である。
【００１５】
(５) また、上記除湿器のペルチェ素子へ供給する電流を、上記洗浄槽内の温度や湿度、該ペルチェ素子の温度、及び時間の少なくとも１つによって制御することができる。
この構成によれば、上記洗浄槽内の温度や湿度の状態、ペルチェ素子の冷却側と加熱側の温度、又は乾燥処理時間の経過に応じて、ペルチェ素子に流す電流を制御することができるので、効率の高い乾燥処理運転を行うことが可能である。
【発明の効果】
【００１６】
以上のように、本発明の食器洗い乾燥機によれば、洗浄槽内の高温多湿の空気は、循環路に設けられた除湿器で除湿されながら循環されるだけであり、洗浄槽の外部に排出されることがないので、高温度の排気によって火傷する恐れがなく、排気臭や高温多湿の排気によってキッチンの環境を悪化させることもない。また、除湿器の冷却側で除湿された低温乾燥空気を該除湿器の加熱側で加熱することにより、エネルギーを浪費することなく効率の高い乾燥処理を行うことができる。
そして、吐出口から洗浄槽に戻された高温乾燥空気は、該洗浄槽内を隅々まで満遍なく流れることになるので、食器をムラなく乾燥することができ、乾燥効率も高めることが可能である。
また、除湿器において分離されたドレンは、洗浄槽の底部に形成された水溜に排出されて、ドレンが洗浄槽内の食器収納領域に戻ることがないので、乾燥効率を低下させることはない。
【００１７】
さらに、乾燥手段による乾燥処理が開始される前に、予めペルチェ素子に通電して、該ペルチェ素子の冷却側と加熱側を前もって充分に冷却及び加熱しておくことにより、乾燥処理の開始直後から効率よく除湿することができるので、食器の乾燥処理時間を大幅に短縮することが可能である。
また、洗浄槽内の温度や湿度状態、ペルチェ素子の温度状態、又は乾燥処理の経過時間に応じて、ペルチェ素子への供給電流を制御することができるので、効率の高い乾燥処理運転を行うことが可能である。
【発明を実施するための最良の形態】
【００１８】
以下に、本発明の実施の形態について、図１〜図３を参照しながら説明する。図１は食器洗い乾燥機全体の概略図、図２は乾燥手段について説明する模式図、図３はペルチェ素子を有する除湿器について説明する模式図である。
〔食器洗い乾燥機の構成・動作〕
食器洗い乾燥機は、図１に示されているように、本発明の特徴部分である乾燥手段に関する事項を除けば、上述した従来の食器洗い乾燥機（図４を参照）と基本的に同じ構成を備えており、同じように動作することによって食器を自動的に洗浄し乾燥するものである。
即ち、この食器洗い乾燥機は、食器カゴ１２,１２’、回転ノズル（噴射ノズル）１３、及びヒーター１４等を有する洗浄槽１０を備えると共に、該洗浄槽１０に水を供給する給水手段と、該洗浄槽１０から水を排出する排水手段と、該洗浄槽１０内の食器を乾燥する乾燥手段とを備えており、上記食器カゴ１２,１２’に食器をセットして運転を開始することによって、洗浄工程、すすぎ工程、及び乾燥工程が実行され、食器の洗浄や乾燥が自動的に行われるものである。
【００１９】
次に、本発明の食器洗い乾燥機の特徴部分である乾燥手段の構成及び動作について、図１〜図３を参照しながら説明する。
〔乾燥手段の構成〕
先ず、本発明の食器洗い乾燥機における乾燥手段の構成について説明する。
この乾燥手段は、図１及び図２に示されているように、ペルチェ素子３ａを有する除湿器３、循環ファン５、及び該除湿器３と循環ファン５を洗浄槽１０に連通する循環路２から構成されており、上記洗浄槽１０の前面（図１の左側）に取り付けられた扉２４の内部に配置されている。上記除湿器３は、例えば４０ｍｍ×４０ｍｍ程度の大きさのペルチェ素子３ａの両面に集熱用アルミプレート（吸熱器、放熱器）が取り付けられて成り、上記扉２４の正面の左側上方に配置されている。また、循環ファン５は該扉２４の正面の右側に配置されている。
上記循環路２は、吸気口１０ａと吐出口１０ｂにおいて洗浄槽１０に連通しており、該吸気口１０ａと吐出口１０ｂの間には除湿器３と循環ファン５が配置されている。この循環ファン５が駆動されると洗浄槽１０内の空気は吸気口１０ａから吸い込まれ、上記除湿器３と循環ファン５を経由して、吐出口１０ｂから洗浄槽１０内へ戻される。
【００２０】
上記循環路２の吸気口１０ａと吐出口１０ｂは、洗浄槽１０の前面側の内壁面（図１の左側の内壁面）の対角線上において相互に離れた位置に配置され、該吐出口１０ｂが吸気口１０ａよりも低い位置に配置されている（図２(ａ)を参照）。上記吸気口１０ａと吐出口１０ｂをこのような位置関係にすることによって、吐出口１０ｂから洗浄槽１０内に戻った空気を洗浄槽内の隅々まで流れるようにすることができ、乾燥効率を高めることができる。
また、上記乾燥手段は、洗浄槽１０の扉２４以外の個所にも設置することが可能である。例えば、洗浄槽１０の背面側の壁部（図１の右側の壁部）の外面に設置することも可能である。
【００２１】
上記除湿器３は、図３に示されているように、その内部にペルチェ素子３ａを備えている。
このペルチェ素子は板状熱電半導体であり、直流電流を流すことにより一方の面が冷却され他方の面が加熱される機能を有するものであって、例えば、最大吸熱量が８５.０Ｗのものを採用することができる。その外形寸法は４０ｍｍ×４０ｍｍであって、空気との熱伝達効率を良くするために多数（例えば１３枚）のアルミフィンを有する集熱用アルミプレート（吸熱器、放熱器）を両面に取り付けることができる。この集熱用アルミプレートを含めた大きさは１２０ｍｍ×１２０ｍｍ×８５ｍｍである。
【００２２】
この除湿器３は、洗浄槽１０に固定された取付ユニット台１０ｃ上に取り付けられており、ペルチェ素子３ａの冷却側の面に多数の吸熱フィン３ｂ’を有する吸熱プレート３ｂを、また加熱側の面に多数の放熱フィン３ｃ’を有する放熱プレート３ｃを取り付けて成る。このペルチェ素子３ａの周囲は、シリコンゴム等の封止材３ｄにより防水加工がされている。
このペルチェ素子３ａの冷却側と加熱側には、それぞれの表面温度を検知するためのサーミスター６ｂ,６ｃが取り付けられている。各サーミスター６ｂ,６ｃにより検知される温度は、制御部３０に送られてペルチェ素子３ａの制御に利用される。加熱側のサーミスター６ｃの検知温度Ｔ１と、冷却側のサーミスター６ｂの検知温度Ｔ２の差によって、０℃＜Ｔ２＜Ｔ１となるように、ペルチェ素子３ａへの電流が制御される。
【００２３】
上記取付ユニット台１０ｃが固定されている個所の直ぐ上側の洗浄槽１０の壁面には吸気口１０ａが形成され、また、上記ペルチェ素子３ａの冷却側（吸熱プレート３ｂ側）、端面側、及び加熱側（放熱プレート３ｃ側）には、それぞれ流路２ａ,２ｂ,２ｃが形成され循環路２の一部分を構成しており、上記吸気口１０ａから吸い込んだ空気がペルチェ素子３ａの冷却側及び加熱側の吸熱フィン３ｂ’及び放熱フィン３ｃ’に沿って流れるようになっている。なお、循環路２の他の部分は、除湿器３と循環ファン５の間の流路２ｄ、及び循環ファン５と吐出口１０ｂの間の流路２ｅによって構成されている。
また、洗浄槽１０の内部、又は該洗浄槽１０と除湿器３との間に、洗浄槽内の湿度を検知するための湿度センサー７が設けられており、この湿度センサー７により検知された湿度は、制御部３０に送られてペルチェ素子３ａの制御に用いられる。
さらに、上記取付ユニット台１０ｃの上面部分にはドレン受１０ｄが形成されており、このドレン受１０ｄは、ペルチェ素子３ａの冷却側の吸熱フィン３ｂ’の表面で凝縮されて発生したドレン（水）を受けて、ドレン管４を通して水位スイッチ２５の水タンク（フロートケース）２５ａへ流すように成っている。
【００２４】
〔乾燥手段の動作〕
次に、本発明の食器洗い乾燥機における乾燥手段の動作について説明する。
食器洗い乾燥機がすすぎ工程において加熱すすぎ処理（最終回のすすぎ処理）を終了すると、乾燥工程が開始される。
この乾燥工程が開始されると、ペルチェ素子３ａが通電されると共に、循環ファン５が駆動される。これにより、洗浄槽１０内の空気は吸気口１０ａから吸い込まれて、ペルチェ素子３ａの冷却側から加熱側へと流路２ａ,２ｂ,２ｃを流れ、さらに循環ファン５から吐出口１０ｂへと流路２ｄ,２ｅを流れて、洗浄槽１０内へ戻される。
上記乾燥工程が開始されるとき、上述のようにペルチェ素子３ａと循環ファン５を同時に動作させることに替えて、乾燥工程を開始する前、例えば加熱すすぎが終了する５分前にペルチェ素子に通電して冷却及び加熱動作を始めて、冷却側と加熱側の温度差を充分にもたせた後、乾燥工程を開始して循環ファン５を駆動するようにすれば、乾燥処理の開始直後から効率よく除湿することができるので、乾燥処理時間を大幅に短縮することが可能である。
【００２５】
このように乾燥工程が開始されて、洗浄槽１０内の蒸気を多量に含んだ高温空気が吸気口１０ａから除湿器３に吸い込まれると、ペルチェ素子３ａの冷却側の吸熱プレート３ｂで冷却され凝縮されて低温乾燥空気となると共に、ドレンを発生する。このうち低温乾燥空気はペルチェ素子３ａの加熱側の放熱プレート３ｃへ送られ、そこで加熱されて高温乾燥空気に変わる。この高温乾燥空気は、循環ファン５によって吐出口１０ｂから再び洗浄槽１０内に戻されて、食器や洗浄槽内部を除湿乾燥する役割を果たし、再度高温多湿の空気へと変化する。このように洗浄槽１０内の空気は、循環路２内を繰り返して循環されることにより食器の乾燥処理が行われる。
また、乾燥工程中に洗浄槽１０内のヒーター１４に通電することにより、該洗浄槽内の温度を上昇させることも可能である。
【００２６】
食器洗い乾燥機に最大収納容量の食器をセットして標準コースで運転した場合、乾燥工程での乾燥時間は３５分であり、この乾燥工程中のペルチェ素子（最大吸熱量が８５.０Ｗのもの）への印加電圧を１４Ｖに設定すると、このペルチェ素子の冷却面と加熱面の温度差ΔＴは次のようになる。
乾燥初期  ：ΔＴ＝２０℃（冷却側５０℃、加熱側７０℃）
乾燥終了時：ΔＴ＝１５℃（冷却側４０℃、加熱側５５℃）
この場合、乾燥工程中の洗浄槽内の温度は、乾燥初期の７０℃から乾燥終了時の５４℃へ変化したが、これは洗浄槽から外部へ熱が逃げたことにより温度低下が生じたものと考えられる。
このように、ペルチェ素子を除湿器に利用した本発明の食器洗い乾燥機による食器の乾燥率は、例えば図４に示されている従来方式によるものと同等あり、充分に高い性能を得ることができる。
【００２７】
上記乾燥処理において、ペルチェ素子３ａの冷却側で発生したドレンは、取付ユニット台１０ｃの上面部分に形成されたドレン受１０ｄに集められ、そこからドレン管４を通って水位スイッチ２５の水タンク２５ａへ流れ落ち、さらに水タンク２５ａから洗浄槽１０の底部に形成された水溜１６へ流出する。このようにして、ペルチェ素子３ａにより凝縮されたドレンは洗浄槽１０内の食器収納領域に戻ることがないので、乾燥効率を向上させることができる。
上記洗浄槽１０の水溜１６には乾燥工程中にドレンが溜まるため、定期的に又は乾燥工程終盤において排水を行う。
これまでに説明した実施の形態では、ペルチェ素子の冷却側と加熱側の流路をＵターン形状のものとしているが、この冷却側と加熱側の流路を直線的な形状にしても良いことは言うまでもない。このように直線的な流路形状にした場合は、流路抵抗が小さくなって通気の循環が良くなり、乾燥効率を高くすることができる。
【００２８】
次に、乾燥工程中のペルチェ素子３ａの制御について説明する。
ペルチェ素子３ａは、洗浄槽１０内の温度もしくは湿度、ペルチェ素子３ａ（冷却側又は加熱側）の温度、又は時間等に応じて、乾燥処理効率が高くなるように、それに供給する電流によって制御される。 このペルチェ素子３ａの制御は、制御部３０に設けられた電子制御基板により行われる。
例えば、乾燥工程にペルチェ素子３ａへ供給される電流は、時間の経過に伴って徐々に減少することができる。また、洗浄槽１０内の温度や湿度によっても供給電流を制御することができる。即ち、洗浄槽１０内の温度や湿度が高い時は供給電流を増加させて、逆に低い時は減少させる。さらに、ペルチェ素子３ａの冷却側が凍結することがないように、その温度が低い時には供給電流を減少することができる。
【図面の簡単な説明】
【００２９】
【図１】は、本発明の実施の形態による食器洗い乾燥機の全体を説明する模式図である。
【図２】は、本発明の実施の形態による食器洗い乾燥機の乾燥手段を説明する模式図であり、(ａ)は扉のフロントパネルを外した場合の正面図、(ｂ)は(ａ)のＡ−Ａ断面図、(ｃ)は(ａ)のＢ−Ｂ断面図である。
【図３】は、本発明の実施の形態による除湿器を説明する模式図であり、(ａ)は断面図、(ｂ)は斜視図である。
【図４】は、従来の食器洗い乾燥機の全体を説明する模式図である。
【図５】は、従来の別の食器洗い乾燥機の模式図であり、(ａ)は全体の概略図、(ｂ)は冷却手段の概略図である。
【符号の説明】
【００３０】
２…循環路                              ２ａ〜２ｅ…流路
３…除湿器                              ３ａ…ペルチェ素子
３ｂ…吸熱プレート                      ３ｂ’…吸熱フィン
３ｃ…放熱プレート                      ３ｃ’…放熱フィン
３ｄ…封止材（シリコンゴム）            ４…ドレン管
５…循環ファン                          ６ｂ,６ｃ,１１…サーミスター
７…湿度センサー
１０…洗浄槽                            １０ａ…吸気口
１０ｂ…吐出口                          １０ｃ…取付ユニット台
１０ｄ…ドレン受                        １２,１２’…食器カゴ
１３…回転ノズル（洗浄ノズル）          １４…ヒーター
１６…水溜                              １７…洗浄ポンプ
２０…排水ポンプ                        ２４…扉
２５…水位スイッチ                      ２５ａ…水タンク（フロートケース）
３０…制御部
【図１】
2007014537.tif 000003
【図２】
2007014537.tif 000004
【図３】
2007014537.tif 000005
【図４】
2007014537.tif 000006
【図５】
2007014537.tif 000007